(57)【要約】【課題】撮影のタイミングの把握を容易化した、カメラ付き携帯電話機および同電話機の遠隔操作方法を得る。【解決手段】他の電話機から電話通信部１１を介して受信し、撮影タイミング記憶部１３へ、写真撮影部１２において撮影動作を実行させるためのタイミング情報を、予め記憶させておく。撮影タイミング記憶部１３は、撮影実行時に、記憶しているタイミング情報を写真撮影部１２へ出力する。これにより、カメラのシャッターの操作を当該携帯電話機１のボタンを直接操作することなく、他の携帯電話機から、すなわち離れたところから予め登録・記憶されているタイミングに基づいて、シャッター操作を可能とする。２台の携帯電話機を使用することで、カメラ付き携帯電話機１を手で持つことなく、離れた場所に置いたままで撮影タイミングを認識しての撮影が可能となる。さらには、ズーミングの深さ調整も可能とするとよい。【選択図】        図１
2005005813.tif 000002
【特許請求の範囲】
【請求項１】
他の電話機と通信を行うための通信部と、
写真撮影を行う写真撮影部と、
前記通信部が前記他の電話機から受信し、前記写真撮影部が写真撮影を実行する際に用いるタイミングデータを記憶する、撮影タイミング記憶部とを有して構成され、
前記タイミングデータを前記他の電話機により設定可能としたことを特徴とするカメラ付き携帯電話機。
【請求項２】
前記タイミングデータは、予め準備されたデータの中から選択設定されたデータか、または前記他の電話機から送信された音声の、何れかであることを特徴とする請求項１に記載のカメラ付き携帯電話機。
【請求項３】
前記記憶したタイミングデータに基き、通信時に用いる着信音発生部、または／および表示機能部を動作させ、前記写真撮影の実行開始のタイミングを、被撮影者が識別可能としたことを特徴とする請求項１または２に記載のカメラ付き携帯電話機。
【請求項４】
前記写真撮影のズーム深さを調整するズーム深さ調整部を、さらに有することを特徴とする請求項１から３の何れかに記載のカメラ付き携帯電話機。
【請求項５】
所定のカメラ付き携帯電話機の写真撮影の実行のタイミングを設定する撮影タイミング設定ステップと、
前記写真撮影の実行開始を他の電話機から指示する撮影開始指令ステップと、発音または／および発光動作により、前記写真撮影の実行開始を予告する写真撮影開始予告ステップとを有し、
前記カメラ付き携帯電話機の写真撮影の実行のタイミングを識別可能としたことを特徴とするカメラ付き携帯電話機の遠隔操作方法。
【請求項６】
前記写真撮影開始予告ステップは、前記カメラ付き携帯電話機および／または前記他の携帯電話機の、何れか一方／または両者において実行される、ことを特徴とする請求項５に記載のカメラ付き携帯電話機の遠隔操作方法。
【請求項７】
前記写真撮影された画像データを前記カメラ付き携帯電話機から前記他の携帯電話機へ自動的に送信する画像データ送信ステップをさらに有し、撮影画像の内容の確認を容易化したとを特徴とする請求項５または６に記載のカメラ付き携帯電話機の遠隔操作方法。
【発明の詳細な説明】
【０００１】
【発明の属する技術分野】
本発明は、カメラ付き携帯電話機および同電話機の遠隔操作方法に関し、たとえば、第１の携帯電話機から第２のカメラ付き携帯電話機のカメラ機能の遠隔操作を可能とする、カメラ付き携帯電話機および同電話機の遠隔操作方法である。
【０００２】
【従来の技術】
従来の一の電子カメラは、カメラ自体を他の機器のリモコン送信機として使用可能な電子カメラとし、その電子カメラを用いる外部機器の遠隔操作システムを提案している（例えば、特許文献１参照）。
【０００３】
他の従来例では、携帯電話機側遠隔通信手段を有するカメラ機能付き携帯電話機本体と、この携帯電話機側遠隔通信手段に対して操作用信号を送受するリモコン側遠隔通信手段を有するリモコン装置とを備えて、カメラ機能付き携帯電話システムを構成している。本構成により、カメラ機能付き携帯電話機の遠隔操作を可能にしたカメラ機能付き携帯電話システムを提供することを課題としている（例えば、特許文献２参照）。
【０００４】
【特許文献１】
特開２００２−０６４７４０号公報
【特許文献２】
特開２００２−０５０９９９号公報
【０００５】
【発明が解決しようとする課題】
しかしながら近年、携帯電話機市場においては、携帯電話機にカメラ機能付きは極一般的になってきており、カメラ機能を用いた写真撮影の機会が非常に増えてきている。この様な状況において、カメラ付き携帯電話機を用いた写真撮影において、自身の後ろ側に位置する背景を含めて自分自身を撮影しようとした場合、または多人数での自身を含む集合写真を撮影しようとした場合には、カメラ付き携帯電話機を自分の手の届かない場所に置く必要が生じる。この場合には、タイマー等をセットしての撮影になる。この為、実際に撮影した画像が予想した構成・仕上り等とは異なる事態が生じ得る。
【０００６】
上記の場面において、タイマー撮影とした場合には、シャッターが切れるタイミングを、事前に設定しておいた時間を勘案して、数える必要がある。この場合、撮影のタイミングにうまくポーズ等を合わせられないことがあり、不便である。また、手の届かない場所にカメラを設置しての撮影では、撮影した画像を確認に行く必要がある。さらに、連続撮影する場合において、撮影毎に確認を行うことは非常に面倒である。更に、画像確認の為にカメラを動かしてしまうと、一度位置や向きを合わせておいたものを再度、合わせなおす必要も発生する。
【０００７】
この様に、従来のカメラ付き携帯電話機は、様々な撮影条件に十分に対応していない問題点を有している。
【０００８】
本発明は、撮影のタイミングの把握を容易化した、カメラ付き携帯電話機および同電話機の遠隔操作方法を提供することを目的とする。本発明は、ＩＰ（Ｉｎｔｅｒｎｅｔ  Ｐｒｏｔｏｃｏｌ  ）電話機を用いた場合にも適用可能である。なお、本発明は、同一出願人に係る先の発明（特願２００２−０６２６２１号）に対して、さらに機能アップを図ったものである。
【０００９】
【課題を解決するための手段】
かかる目的を達成するため、本発明のカメラ付き携帯電話機は、他の電話機と通信を行うための通信部と、写真撮影を行う写真撮影部と、通信部が他の電話機から受信し、写真撮影部が写真撮影を実行する際に用いるタイミングデータを記憶する、撮影タイミング記憶部とを有して構成され、このタイミングデータを他の電話機により設定可能としたことを特徴としている。
【００１０】
また、上記タイミングデータは、予め準備されたデータの中から選択設定されたデータか、または他の電話機から送信された音声の何れかであり、この記憶したタイミングデータに基き、通信時に用いる着信音発生部、または／および表示機能部を動作させ、写真撮影の実行開始のタイミングを、被撮影者が識別可能とし、写真撮影のズーム深さを調整するズーム深さ調整部をさらに有するとよい。
【００１１】
請求項３記載の発明の同電話機の遠隔操作方法は、所定のカメラ付き携帯電話機の写真撮影の実行のタイミングを設定する撮影タイミング設定ステップと、写真撮影の実行開始を他の電話機から指示する撮影開始指令ステップと、発音または／および発光動作により、写真撮影の実行開始を予告する写真撮影開始予告ステップとを有し、カメラ付き携帯電話機の写真撮影の実行のタイミングを識別可能としたことを特徴としている。
【００１２】
また、上記写真撮影開始予告ステップは、カメラ付き携帯電話機および／または他の携帯電話機の、何れか一方／または両者において実行され、写真撮影された画像データをカメラ付き携帯電話機から他の携帯電話機へ自動的に送信する画像データ送信ステップをさらに有し、撮影画像の確認を容易化するとよい。
【００１３】
【発明の実施の形態】
次に、添付図面を参照して、本発明によるカメラ付き携帯電話機および同電話機の遠隔操作方法に関する実施の形態を詳細に説明する。図１から図３を参照すると、本発明のカメラ付き携帯電話機および同電話機の遠隔操作方法に係わる一実施形態が示されている。これらの図１が、本実施形態に適用されるカメラ付き携帯電話機１の基本構成例を示すブロック図である。また、図２および図３が、動作手順例を示すフローチャートである。
【００１４】
（構成部の実施例）
図１において、本実施形態に適用されるカメラ付き携帯電話機１は、電話通信部１１、写真撮影部１２、撮影タイミング記憶部１３、および通信用アンテナ１４を有して構成される。
【００１５】
上記構成のカメラ付き携帯電話機１において、電話通信部１１は、他の電話機と通信を行うための機能部である。本機能部１１は、従来の携帯電話機の同機能部と、基本的な機能内容は同一でよい。また、写真撮影部１２および通信用アンテナ１４も、同様に従来の携帯電話機の同機能部と、基本的な機能内容は同一でよい。
【００１６】
撮影タイミング記憶部１３は、本実施形態の動作を生じさせるために、新たに設けた機能部である。本撮影タイミング記憶部１３は、他の電話機から電話通信部１１を介して受信した、写真撮影部１２において撮影動作を実行させるためのタイミング情報を予め記憶しておき、本機能を実行時に、記憶しているタイミング情報を写真撮影部１２へ出力する機能部である。本構成の内容を、以下において詳述する。
【００１７】
本発明の特徴は、２台の携帯電話機を使用することで、カメラ付き携帯電話機１を手で持つことなく、離れた場所に置いたままで撮影を可能としたことにある。
本構成のカメラ付き携帯電話機１において、カメラ機能が作動しているときに他の携帯電話機２より着信があった場合に、カメラのシャッターの操作を当該携帯電話機１のボタンを直接操作することなく、他の携帯電話機２から、すなわち離れたところから予め登録・記憶されているタイミングに基づいて、又は新たに設定したタイミングに基いて、シャッター操作を可能とすることを特徴とする。
【００１８】
本実施形態の要点は、シャッターを切る指示を目的とした着信があった場合に、着信開始と同時にシャッターを切るのではなく、あらかじめ着信音を鳴らす等の時間を設定しておく。このことで、シャッターが切れるタイミングを、離れた場所にいても判断することを可能とする。
【００１９】
また、写真撮影後、電話をかけた（シャッターを切る為の信号を送った）携帯電話機２に、自動的に撮影された画像をインターネット経由にて送信する。このことにより、離れた場所に置いてあるカメラ付き携帯電話機１の場所までわざわざ行くこと無く、撮影した画像を確認できることを特徴とする。本操作手順の構成内容を以下において、詳述する。
【００２０】
（操作手順の実施例）
本発明は、一般的なカメラ付き携帯電話機１における遠隔操作方法であり、本実施例に適用するカメラ付き携帯電話機１の画像取得に係る基本機能としては、一般的に知られている携帯電話機が適用可能である。よって、写真撮影自体の構成に関しては周知の技術の為、詳述を省略する。
【００２１】
本発明の実施例を、図２のフローチャートを用いて説明する。
カメラ機能使用中の携帯電話機において（ステップＡ１／ＹＥＳ）、着信があった場合に（ステップＡ２／ＹＥＳ）、本発明の携帯電話機においては指定着信音と、着信音の鳴動時間設定がされているか確認を行う（ステップＡ３）。ここで事前に設定が行われていれば（ステップＡ３／ＹＥＳ）、指定の着信音を選択して設定された時間鳴らす（ステップＡ４）。その後にシャッターを切り、カメラ撮影を行う（ステップＡ６）。
【００２２】
ここで補足説明となるが、このステップＡ４の着信音鳴動機能により、予め設定しておける着信音を、携帯電話機では、一般的なインターネットからダウンロード、または自分の声を好きな内容で登録しておく。これを、シャッターが切れる撮影のタイミングがつかみ易い内容、及び時間に設定しておく。例えば、掛け声の「サン、ニー、イチ」または「ハイ、チーズ」というような着信音とする。本設定音が流れた後にシャッターを切ることで、撮影のタイミングを逃すことを防止可能とする。また、“音または声”のみでなく、画面および／またはその他の表示部の点滅動作により、視覚的な確認動作を、単独または音／音声と併設することも可能である。
【００２３】
以上が、本発明の特徴である着信によりカメラのシャッターを切ることと、および着信音の事前設定によるシャッタータイミングを逃さないようにする機能の、動作の流れである。
【００２４】
次に撮影後の流れについて説明する。
撮影完了後、本発明のカメラ付き携帯電話機１においては、先ほどシャッターを切る為のトリガーになる電話をかけてきた発呼者のメールアドレスが登録されているかどうか確認を行う（ステップＡ７）。ここで、メールアドレスが登録されていれば（ステップＡ７／ＹＥＳ）、前述のステップＡ６にて撮影された画像の添付されたメールを、発呼者に送信する（ステップＡ８）。
【００２５】
撮影側が、以上の流れで動作可能なカメラ付き携帯電話機１であれば、撮影指示側には、本携帯電話機の他にメール機能を持った携帯電話機２を１台用意すれば、上記手順の撮影が可能となる。
カメラ付き携帯電話機１での写真撮影時において、カメラ付き携帯電話機１を離れたところにおいたままで（ボタン操作を直接行えない距離においた状態）、シャッターを切ることが可能である。且つ、わざわざ撮影を行った携帯電話機１をとりに行かなくても、手元で撮影した画像の内容が確認でき、続けて次の撮影が可能となる。
【００２６】
（他の実施例）
本発明の他の実施例を、図３のフローチャートを用いて説明する。
先の実施例においては、ステップＡ２の着信を待っている状態のときに、第三者からの着信があった場合、この着信をトリガーにして撮影、画像の送信を行ってしまう可能性がある。この弊害を避ける為、先の実施例に以下の機能を追加する。
【００２７】
シャッターを切る為に、電話を掛けようとしている携帯電話機２の番号を事前に本発明のカメラ付き携帯電話機１に登録しておく。この状態で着信があった際に（ステップＡ２／ＹＥＳ）、その発呼者の電話番号が事前に登録しておいた番号と一致するか否かの確認を行う（ステップＡ３）。本確認の結果が一致した場合は、ステップＡ５に進む。本以降のステップは、先に説明した発明の実施例の内容と同じである。なお、一致しない場合は、通常の電話モードに戻り一般電話機と同様の応答等を行う。
【００２８】
（実施例によって生じる効果）
本実施例によれば、カメラ付き携帯電話機１において、他のもう一台の携帯電話機２により、離れた場所からシャッターを切ることを可能とする。また、携帯電話機１の着信音を用い、かつ事前に設定しておくことでシャッターの切れるタイミングを離れた場所から把握することができる。さらに、離れた場所にいたままで、撮影された画像を確認することが可能となる。
【００２９】
本発明の特徴は、２台の携帯電話機１、２を使用することで、一のカメラ付き携帯電話機１を手で持つことなく、離れた場所に置いたままで他方の携帯電話機２からの指示に基き、写真撮影を可能とする。
【００３０】
カメラ付き携帯電話機１において、カメラ機能が作動しているときに他の携帯電話機２より着信があった場合に、カメラのシャッターが切れ、携帯電話機１のボタンを直接操作することなく、すなわち離れたところからシャッターが切れる。
【００３１】
シャッターを切る指示を目的とした着信があった場合、着信開始と同時にシャッターを切るのではなく、あらかじめ着信音を鳴らす（又は、フラッシュ表示する）時間を設定しておくことでシャッターが切れるタイミングを離れた場所にいても判断することが可能となる。
【００３２】
写真撮影後、電話をかけた（シャッターを切る為の信号を送った）携帯電話機２に自動的に撮影された画像をインターネット経由にて送信する。このことにより、離れた場所に置いてある、カメラ付き携帯電話機１の場所までわざわざ行くこと無く、画像を確認できる。本機能は、例えば、ズームの深さ調整時に特に有効である。この場合、カメラ付き携帯電話機１のズーム深さ調整を、携帯電話機２から調整可能とする。
【００３３】
上記の実施例は、多くの変化例が可能である。例えば、目標とする携帯電話機１への電子メールによるアクセス、及びメールの場合、着信したことを知らせるルーチンを追加する。撮影した画像を送信する他に、撮影の枚数、カウントダウンの回数を設定する。また、画像は、静止画および動画の何れにも対応可能である。動画の場合は、撮影時間設定も可能とするとよい。さらに、カメラ付き携帯電話機１へのアクセスは、固定電話機やＩＰ電話機からも可能である。上記のズーム調整機能も装備するとよい。
【００３４】
【発明の効果】
以上の説明より明らかなように、本発明のカメラ付き携帯電話機および同電話機の遠隔操作方法は、所定のカメラ付き携帯電話機の写真撮影の実行のタイミングを設定し、写真撮影の実行開始を他の電話機から指示し、発音または／および発光動作により、写真撮影の実行開始を予告している。よって、当該携帯電話機のボタンを直接操作することなく、他の携帯電話機から、すなわち離れたところから予め登録・記憶されているタイミングに基づいて、シャッター操作が可能となる。これにより、カメラ付き携帯電話機の写真撮影の実行のタイミングを離れた位置で識別可能となる。
【図面の簡単な説明】
【図１】本発明のカメラ付き携帯電話機および同電話機の遠隔操作方法の実施形態が適用される、基本機能の構成例を示すブロック図である。
【図２】動作手順例を示す第１のフローチャートである。
【図３】動作手順例を示す第２のフローチャートである。
【符号の説明】
１  カメラ付き携帯電話機
２  撮影を指示する携帯電話機
１１  電話通信部
１２  写真撮影部
１３  撮影タイミング記憶部
１４  通信用アンテナ
【図１】
2005005813.tif 000003
【図２】
2005005813.tif 000004
【図３】
2005005813.tif 000005